(57)【要約】要するに、本発明は、光記憶ドライブの最大の利用可能な書込み電力を予測する方法を提供する。光ドライブは、最大の放射角及び最悪のケースのレーザの電気パラメータに対応する所定の保証される最大の電力を有するが、多くのドライブは、最悪のケースではないために必要とされる場合に更に多くの電力を生成する。最悪のケースではないレーザから利用可能な余分の電力が浪費される。好ましいパラメータを有するレーザでドライブを識別することで、ドライブの最大の利用可能な書込み電力は大きくなる。本発明は、レーザ光のビームがパワーレベルＰを有して発生される予測方法を提供することでこの問題を解決する。レーザ光源の第一のパラメータ及び発せされるレーザ光のビームの第二のパラメータが測定され、最大の利用可能な書込み電力を予測するために使用される。【特許請求の範囲】
【請求項１】
光記憶ドライブの最大の利用可能な書込み電力を予測する方法であって、
パワーレベルを有するレーザ光源からレーザ光のビームを発生するステップと、
レーザ光源の第一のパラメータを測定するステップと、
発生されたレーザ光のビームの第二のパラメータを測定するステップと、
測定された第一のパラメータ及び測定された第二のパラメータを使用して、光記憶ドライブの最大の利用可能な書込み電力を予測するステップと、
を有することを特徴とする方法。
【請求項２】
第一のパラメータとしてレーザ光源のレーザ電流を測定するステップを含む、
請求項１記載の光記憶ドライブの最大の利用可能な書込み電力を予測する方法。
【請求項３】
第一のパラメータとしてレーザ光源の電力を測定するステップを含む、
請求項１記載の光記憶ドライブの最大の利用可能な書込み電力を予測する方法。
【請求項４】
第一のパラメータとしてレーザ光源の温度を測定するステップを含む、
請求項１記載の光記憶ドライブの最大の利用可能な書込み電力を予測する方法。
【請求項５】
第二のパラメータとしてレーザ光のビームのパワーレベルを測定するステップを含む、
請求項１乃至４の何れか記載の光記憶ドライブの最大の利用可能な書込み電力を予測する方法。
【請求項６】
レーザ光のビームを発生する前に対物レンズを後退させるステップを含む、
請求項１乃至５の何れか記載の光記憶ドライブの最大の利用可能な書込み電力を予測する方法。
【請求項７】
予測された最大の利用可能な書込み電力を記憶手段に記憶するステップを含む、
請求項１乃至６の何れか記載の光記憶ドライブの最大の利用可能な書込み電力を予測する方法。
【請求項８】
前記記憶手段は、ＥＥＰＲＯＭ（Electrically  Erasable  Programmable  Read  Only  Memory）を含む、
請求項７記載の光記憶ドライブの最大の利用可能な書込み電力を予測する方法。
【請求項９】
前記記憶手段はフラッシュメモリを含む、
請求項７記載の光記憶ドライブの最大の利用可能な書込み電力を予測する方法。
【請求項１０】
前記記憶手段はバーコードスティッカーを含む、
請求項７記載の光記憶ドライブの最大の利用可能な書込み電力を予測する方法。
【請求項１１】
記憶されている予測された最大の利用可能な書込み電力を使用して、予測された最大の利用可能な書込み電力にまで光記憶ドライブを動作するステップを含む、
請求項７乃至１０の何れか記載の光記憶ドライブの最大の利用可能な書込み電力を予測する方法。
【請求項１２】
当該方法は、光記憶ドライブの最初の始動の間に実行される、
請求項１乃至１１の何れか記載の光記憶ドライブの最大の利用可能な書込み電力を予測する方法。
【請求項１３】
光記憶ドライブの製造の間における請求項１乃至１１の何れか記載の方法の使用。
【請求項１４】
レーザ光のビームを発生するレーザ光源を有する光学ヘッドを含む光記憶ドライブの最大の利用可能な書込み電力を予測するシステムであって、
当該システムは、
前記レーザ光源の第一のパラメータを測定するために構成される第一の測定手段と、
レーザ光のビームの第二のパラメータを測定するために構成される第二の測定手段と、
測定された第一のパラメータと測定された第二のパラメータを使用して光記憶ドライブ最大の利用可能な書込み電力を予測するために構成される予測手段と、
を有することを特徴とするシステム。
【請求項１５】
第一の測定手段は、第一のパラメータとしてレーザ光源のレーザ電流を測定するために構成される、
請求項１４記載の光記録ドライブの最大の利用可能な書込み電力を予測するシステム。
【請求項１６】
前記第一の測定手段は、第一のパラメータとしてレーザ光源の電力を測定するために構成される、
請求項１４記載の光記憶ドライブの最大の利用可能な書込み電力を予測するシステム。
【請求項１７】
前記第一の測定手段は、第一のパラメータとしてレーザ光源の温度を測定するために構成される、
請求項１４記載の光記憶ドライブの最大の利用可能な書込み電力を予測するシステム。
【請求項１８】
前記第二の測定手段は、第二のパラメータとしてレーザ光のビームのパワーレベルを測定するために構成される、
請求項１４乃至１７の何れか記載の光記憶ドライブの最大の利用可能な書込み電力を予測するシステム。
【請求項１９】
当該システムは、レーザ光のビームを発生する前に、対物レンズを後退させるために構成される後退手段を更に有する、
請求項１４乃至１８の何れか記載の光記憶ドライブの最大の利用可能な書込み電力を予測するシステム。
【請求項２０】
当該システムは、予測された最大の利用可能な書込み電力を記憶するために構成される記憶手段を更に有する、
請求項１４乃至１９の何れか記載の光記憶ドライブの最大の利用可能な書込み電力を予測するシステム。
【請求項２１】
前記記憶手段は、ＥＥＰＲＯＭ（Electrically  Erasable  Programmable  Read  Only  Memory）を含む、
請求項２０記載の光記憶ドライブの最大の利用可能な書込み電力を予測するシステム。
【請求項２２】
前記記憶手段はフラッシュメモリを有する、
請求項２０記載の光記憶ドライブの最大の利用可能な書込み電力を予測するシステム。
【請求項２３】
前記記憶手段は、バーコードスティッカーを有する、
請求項２０記載の光記憶ドライブの最大の利用可能な書込み電力を予測するシステム。
【請求項２４】
請求項１４乃至２３の何れか記載の最大の利用可能な書込み電力を予測するシステムを含む光記憶ドライブ。
【発明の詳細な説明】
【技術分野】
【０００１】
本発明は、光記憶ドライブの最大の利用可能な書込み電力を予測する方法に関する。  
また、本発明は、光記憶ドライブの最大の利用可能な書込み電力を予測するシステムに関する。  
さらに、本発明は、光記憶ドライブの始動の間の最大の利用可能な書込み電力を予測する方法の使用に関する。  
さらに、本発明は、光記憶ドライブの製造の間の最大の利用可能な書込み電力を予測する方法の使用に関する。  
さらに、本発明は、最大の利用可能な書込み電力を予測するシステムを含む光記憶ドライブに関する。
【背景技術】
【０００２】
高い記録速度を可能にする新たな記録媒体のタイプが市場で利用可能となってきたとき、光記憶ドライブの製造業者は、新たな光記録媒体のタイプをサポートするために高いレーザパワーによる新たな光記憶ドライブを市場にもたらすことを狙いとする。これら光記憶ドライブの大部分は、市場で利用可能な全てのタイプの光記録媒体をサポートすることを狙いとしている。原理的に、全ての光記憶ドライブは、全ての光記録媒体のタイプをサポートすることができ、最悪のケースのタイプの光記録媒体、すなわち最も高いレーザパワーを必要とする光記録媒体をサポートすることができる。光記憶ドライブの設計は、準拠する光記録媒体のタイプの完全なサポートを狙いとしているが、係るサポートは、光記憶ドライブから利用可能なよりも多くのレーザパワーを必要とするケースでは、最も高い記録速度では、全ての光記録媒体のタイプが光記憶ドライブによりサポートされるわけではないことが知られている。しかし、係る光記録媒体のタイプは、低い記録速度でサポートされる。
【０００３】
ＵＳ５３９２２７３号は、光記憶ドライブの制御方法の実施の形態を開示しており、最適な書込み条件は、光記憶ドライブのなかでの性能における変動がある場合でさえ設定することができる。光記憶ドライブコントローラは、最適な書込み性能を与える書込みドライブの値を記憶する不揮発性メモリを有する。この書込み駆動値は、変動されるレーザ光源のための書込み駆動値で光記憶媒体に情報を書き込み、最適な書込み性能値を取得することで測定される。制御回路は、光記憶ドライブを開始する時間で不揮発性メモリからキャリブレーションの書き込み電力値を読み取り、取得されたキャリブレーションの書込み電力値で前記レーザ光源のドライブを制御する。この手順は、それぞれ個々の光記憶ドライブについて最も適している書込み電力でデータを記録するのを可能にする、光記憶ドライブの最適な書込み電力の条件を発見するのみである。レーザ電力は、最大の放出角度及び最悪のケースの電気的なパラメータにあるときでさえ、スポットにおける結果的に得られる書込み電力が所望の最高の記録速度をサポートするために十分に大きいように選択される。これは、全ての光記憶ドライブが最大の放出角度及び最悪のケースの電気的なパラメータに対応する所定の補償された最大電力を有することを意味する。しかし、多くの光記憶ドライブは、それらが最悪のケースではないため、必要とされる場合に多くを生成することを述べることは重要である。すなわち、この方法では、最悪のケースではないレーザからの利用可能である余分の電力が費やされる。
【発明の開示】
【課題を解決するための手段】
【０００４】
本発明の目的は、様々な光記憶媒体で光記憶ドライブを動作するために有利なパラメータを有するレーザをもつ光記憶ドライブを識別することにある。  
さらに、本発明の目的は、最も高い記録速度で動作することができる光記録媒体／光記憶ドライブのペアの数を最大にすることにある。
【０００５】
上記目的は、光記憶ドライブの最大の利用可能な書込み電力を予測する方法を提供することで達成され、パワーレベルＰを有するレーザ光源からレーザ光のビームを発生するステップ、レーザ光源の第一のパラメータを測定するステップ、発生されたレーザ光のビームの第二のパラメータを測定するステップ、測定された第一のパラメータ及び測定された第二のパラメータを使用して、光記憶ドライブの最大の利用可能な書込み電力を予測するステップを有する。
【０００６】
本発明に係る方法の第一の実施の形態では、本方法は、第一のパラメータとしてレーザ光源のレーザ電流を測定するステップを含む。これは、現在利用可能なレーザドライバの集積回路（ＩＣ）がレーザ電流の測定を実行するために使用されるという利点を有する。
【０００７】
本発明に係る方法の第二の実施の形態では、本方法は、第一のパラメータとしてレーザ光源の電力を測定するステップを含む。これは、レーザにおける全体の消散が測定されるという利点を有し、レーザの熱負荷について正確な測定値を与える。
【０００８】
本発明に係る方法の第三の実施の形態では、本方法は、第一のパラメータとしてレーザ光源の温度を測定するステップを含む。これは、最大の利用可能な書込み電力を予測しつつ、レーザの寿命及びレーザ光源の熱消散が考慮されるという利点を有する。
【０００９】
本発明に係る方法の更なる実施の形態では、本方法は、第二のパラメータとしてレーザ光のビームのパワーレベルＰを測定するステップを含む。これにより、いわゆる光路へのレーザの結合効果が得られる。
【００１０】
本発明に係る方法の第四の実施の形態では、最大の利用可能な書込み電力の予測は、レーザ光のビームを発生する前に対物レンズを後退させることで実行される。これは、光記録媒体に対する損傷が防止されるという利点を有する。
【００１１】
本発明に係る方法の更なる実施の形態では、本方法は、予測された最大の利用可能な書込み電力を記憶手段に記憶するステップを含む。これは、記憶された予測された最大の利用可能な書込み電力が、その最大の予測された利用可能な書込み電力値にまで光記憶ドライブを動作するために使用されるという利点を有する。これにより、記憶された最大の利用可能な書込み電力値にまで電力を必要とするかなりの数の光記録媒体を光記憶ドライブが扱うのを可能にする。
【００１２】
本発明に係る方法の第五の実施の形態では、本方法は、ＥＥＰＲＯＭ（Electrically  Erasable  Programmable  Read  Only  Memory）に予測された最大の利用可能な書込み電力を記憶するステップを含む。ＥＥＰＲＯＭは不揮発性メモリであるので、電力を受けないときでさえデータを保持することができ、したがって予測された最大の利用可能な書込み電力は、その後の動作のために再使用される。
【００１３】
本発明に係る方法の第六の実施の形態では、本方法は、フラッシュメモリにおける予測される最大の利用可能な書込み電力を記憶するステップを有する。フラッシュメモリは、読取り及び書き込み時間が殆ど瞬間的である利点を有する。それは、従来のメモリよりも雑音がなく、非常に小型である。フラッシュメモリは、非常に高速のアクセス時間による、非常に携帯性に優れている。フラッシュメモリは、全体のブロックでそのデータを削除することができ、大量のデータの頻繁な更新のために好ましくする。
【００１４】
本発明に係る方法の第七の実施の形態では、本方法は、バーコードスティッカーに予測された最大の利用可能な書込み電力を記憶するステップを含む。バーコードスティッカーの利点は、光ピックアップユニット（ＯＰＵ）のコストが低減されるように、ＥＥＰＲＯＭが必要とされないことである。
【００１５】
本発明に係る方法の第八の実施の形態では、本方法は、記憶された予測された最大の利用可能な書込み電力を使用して、記憶された予測された最大の利用可能な書込み電力まで光記憶ドライブを動作するステップを含む。これは、光記憶ドライブの最大の利用可能な書込み電力は、予測が行われないケースにおいてよりも大きくなるという利点を有する。
【００１６】
本発明の目的は、光記憶ドライブの始動の間に最大の利用可能な書込み電力を予測する方法を使用することで更に達成される。これは、最大の利用可能な書込み電力を予測しつつ、レーザの寿命及びドライブ温度の影響が考慮されるという利点を有する。
【００１７】
本発明の目的は、光記憶ドライブの製造の間、最大の利用可能な書込み電力を予測する方法を使用することで更に達成される。これは、最大の利用可能な書込み電力を予測するシステムが光記憶ドライブの一部である必要がないという利点を有する。最大の電力の予測を実行するシステムは個別のユニットであり、製造されている全ての光記憶ドライブの最大の利用可能な電力を予測するために使用されない。
【００１８】
本発明の目的は、光記憶ドライブの最大の利用可能な書込み電力を予測するシステムを提供することで更に達成され、当該システムは、レーザ光源の第一のパラメータを測定するために構成される第一の測定手段、レーザ光のビームの第二のパラメータを測定するために構成される第二の測定手段、測定された第一のパラメータ及び測定された第二のパラメータを使用して光記憶ドライブの最大の利用可能な書込み電力を予測するために構成された予測手段を有する。
【００１９】
光記憶ドライブの最大の利用可能な書込み電力を予測するシステムの第二の実施の形態では、当該システムは、第一のパラメータとしてレーザ光源のレーザ電流を測定するために構成される測定手段を有する。
【００２０】
光記憶ドライブの最大の利用可能な書込み電力を予測するシステムの第三の実施の形態では、当該システムは、第一のパラメータとしてレーザ光源の電力を測定するために構成される測定手段を有する。
【００２１】
光記憶ドライブの最大の利用可能な書込み電力を予測するシステムの第四の実施の形態では、当該システムは、第一のパラメータとしてレーザ光源の温度を測定するために構成される測定手段を有する。
【００２２】
光記憶ドライブの最大の利用可能な書込み電力を予測するシステムの第五の実施の形態では、当該システムは、第二のパラメータとしてレーザ光のビームのパワーレベルＰを測定するために構成される測定手段を有する。
【００２３】
光記憶ドライブの最大の利用可能な書込み電力を予測するシステムの第六の実施の形態では、当該システムは、レーザ光のビームを発生する前に対物レンズを後退させるために構成される手段を有する。
【００２４】
光記憶ドライブの最大の利用可能な書込み電力を予測するシステムの更なる実施の形態では、当該システムは、予測された最大の利用可能な書込み電力を記憶するために構成される記憶手段を有する。
【００２５】
光記憶ドライブの最大の利用可能な書込み電力を予測するシステムの第七の実施の形態では、当該システムは、予測された最大の利用可能な書込み電力を記憶するためのＥＥＰＲＯＭ（Electrically  Erasable  Programmable  Read  Only  Memory）を有する。
【００２６】
光記憶ドライブの最大の利用可能な書込み電力を予測するシステムの第八の実施の形態では、当該システムは、予測された最大の利用可能な書込み電力を記憶するためにフラッシュメモリを有する。
【００２７】
光記憶ドライブの最大の利用可能な書込み電力を予測するシステムの第九の実施の形態では、当該システムは、予測された最大の利用可能な書込み電力を記憶するバーコードスティッカーを有する。
【００２８】
本発明の目的は、最大の利用可能な書込み電力を予測するシステムを光記憶ドライブに供給することで更に達成される。コンパクトディスク（ＣＤ）ドライブ、ＤＶＤ（Digital  Versatile  Disc）ドライブ及びＢｌｕ  Ｒａｙドライブは、最大の利用可能な書込み電力を予測するシステムが設けられる係る光記憶ドライブの幾つかの例である。
【００２９】
本発明の目的は、最大の利用可能な書き込み電力を予測する方法及びシステムを提供することで達成され、システムは方法と同じ利点を有する。  
本発明のこれらの態様及び他の態様は、添付図面を参照して以下の説明で記載される実施の形態から明らかとなるであろう。
【発明を実施するための最良の形態】
【００３０】
図１は、光記憶ドライブ１８０の最大の利用可能な書込み電力を予測するために使用されるシステム１００の第一の実施の形態を示す図である。光記憶ドライブ１８０は、光記憶ドライブ１８４のトラックにデータを書き込む光学ヘッド１８２を有する。光学ヘッド１８２は、レーザ光源１８６を有する。このレーザ光源１８６は、データを記録するためにレーザ光１８８のビームで光記録媒体１８４を照射する。このレーザ光源１８６は、たとえば、波長７８０ｎｍ及び光電力５ｍＷを有する赤外線レーザダイオードである。レーザ光源の電力コントローラ１７２は、レーザ光源１８６から生じるレーザ光１８８のビームの電力強度を制御する。レーザ光１８８のビームは、レーザ光のビーム１８８を平行にするコリメータレンズ１９０及びレーザ光のビーム１８８を光記録媒体１８４のトラックのレーザスポット１９４にフォーカスする対物レンズ１９２のような光学素子を有する光学系を通過する。光記憶ドライブ１８０の最大の利用可能な書込み電力を予測するシステム１００は、レーザ光源１８６の第一のパラメータを測定するために測定手段１０２を有する。システム１００は、レーザ光のビーム１８８の第二のパラメータを測定する側低手段１０４を有する。システム１００は、測定された第一のパラメータ及び測定された第二のパラメータを使用して光記憶ドライブ１８０の最大の利用可能な書込み電力を予測するために構成される予測手段１０６を更に有する。光記憶ドライブ１８０の最大の利用可能な書込み電力を予測するために使用されるシステム１００は、光記憶ドライブ１８０それ自身の一部であるか、又は、システム１００は、光記録ドライブ１８０の最大の利用可能な書込み電力の予測を実行するために使用される個別のユニットである。さらに、システム１００は、予測された最大の利用可能な書込み電力を記憶するために構成される記憶手段１４０を有する。さらに、光記憶ドライブは、スピンドルモータ、スピンドル処理ユニット及びアクチュエータコントロールを有し、光記録媒体を回転し、暗黙的であって図１に示されていない光記録媒体のトラックの読取りを可能にする。
【００３１】
図２は、本発明に係る光記憶ドライブ１８０（図１参照）の最大の利用可能な書込み電力を予測する方法を例示する簡略化されたフローチャートである。予測方法は、ステップ２００で、所定の電力レベルＰを有するレーザ光源１８６（図１参照）からレーザ光のビーム１８８（図１参照）を発生するステップを含む。ステップ２０２で、レーザ光源１８６（図１参照）の第一のパラメータは、システム１００（図１を参照）の測定手段１０６を使用して測定される。ステップ２０４では、レーザ光のビーム１８８（図１参照）の第二のパラメータは、システム１００（図１参照）の測定手段１０４を使用して測定される。ステップ２０６では、光記憶ドライブ１８０の最大の利用可能な書込み電力は、システム１００の予測手段１０６（図１参照）を使用して予測される。予測手段１０６は、測定された第一のパラメータと測定された第二のパラメータとを利用して、光記憶ドライブ１８０の最大の利用可能な書込み電力を予測する。
【００３２】
図３は、本発明に係る方法の第一の実施の形態を示す図であり、当該方法は、第二のパラメータとしてレーザ光のビーム１８８の所定の光パワーレベルＰを生成するために必要とされる第一のパラメータとしてレーザ光源１８６のレーザ電流を測定するステップを含む。この実施の形態では、測定手段１０２（図１参照）は、第一のパラメータとしてレーザ光源１８６のレーザ電流を測定する。測定手段１０４（図１参照）は、レーザ光のビーム１８８の光パワーレベルＰを測定する。予測手段１０６（図１参照）は、レーザ光のビーム１８８の光パワーレベルＰを生成するために必要とされる測定されたレーザ電流を使用して光記憶ドライブ１８０の最大の利用可能な書込み電力を予測する。図３は、システム１００を使用してレーザ光のビーム１８８の所定の光パワーレベルＰopt_measuredで測定されるレーザ光源１８６のレーザ電流Ｉop_measuredの関係を表す。レーザ光源１８６の動作電流値Ｉopは、軸３０８に沿ってポイントＩop_minからポイントＩop_maxに増加する。軸３１２は、Ｐopt_minからＰopt_maxに変動するレーザ光のビーム１８８の光電力出力の指示を与える。レーザ光のビーム１８８の所定の光電力Ｐopt_measuredを生成するために必要とされる動作レーザ電流Ｉop_measuredが測定される。光電力Ｐopt_measuredは、光記憶ドライブ１８０の最初の始動の間に生成される任意の値とすることができる。レーザ光のビーム１８８の光パワーレベルＰopt_measuredを生成するために必要とされるレーザ電流Ｉop_measuredは、システム１００の測定手段１０２を使用して測定される。この光パワーレベルＰopt_measuredは、図３に示されるシステム１００の測定手段１０４を使用して測定される。レーザ光源１８６は、レーザ光源１８６の最大の動作レーザ電流がレーザダイオードの製造業者により入手可能にされるレーザダイオードの仕様のデータシートで利用可能な仕様を有する。それぞれの光源について、この動作レーザ電流値は、最小の動作値から最大の動作値まで変動する。レーザ光源の仕様の大部分は、レーザ光源がレーザ光のビーム１８８の規定された光出力電力Ｐopt_typicalを与えるように保証される最小及び最大の動作値のレンジ内にある典型的な動作電流値Ｉop_typicalを規定する。光記憶ドライブの大部分は、電力としてこのＰopt_typicalを使用する。ここで、レーザ光のビーム１８８のＰopt_measuredの光電力が得られる電流Ｉop_measuredを測定して、光記憶ドライブ１８０の最大の利用可能な書込み電力は、レーザダイオード仕様のデータシートで利用可能であるレーザ光源１８６が耐えることができる最大の動作電流Ｉop_maxを取ることで予測される。このシステム１００の予測手段１０６により実行される予測は、以下に例示される。
【００３３】
レーザ光のビーム１８８の測定された光電力Ｐopt_measuredについて、必要とされるレーザ電流はＩop_measuredであり、したがって、仕様のデータシートからレーザ光源１８６について知られるＩop_maxの利用可能な最大のレーザ電流値について、光記憶ドライブ１８０の最大の利用可能な光書込み電力は、最大の利用可能な光書込み電力
Ｐopt_max＝（Ｐopt_measured／Ｉop_measured）×  Ｉop_maxである。
【００３４】
したがって、レーザ光のビーム１８８の光電力値Ｐopt_measuredを生成するために必要とされるレーザ光源１８６の測定されたレーザ電流Ｉop_measuredから、光記憶ドライブ１８０の最大の利用可能な書込み電力Ｐopt_maxが予測される。
【００３５】
したがって、この実施の形態で考慮される光記憶ドライブ１８０から利用可能なレーザ光のビーム１８８の光電力はＰopt_typicalであることが観察され、このＰopt_typicalは、光記憶ドライブ１８０が特定の記録速度で光記録媒体に関して動作する電力である。この光電力Ｐopt_typicalは、レーザダイオード仕様のデータシートで規定されるレーザ光源１８６の典型的なレーザ電流に対応する保証された最大電力である。しかし、これは最悪のケースではないので、必要とされる場合には、Ｐopt_typicalよりも多くの電力を生成することが可能であることは、この実施の形態から明らかである。最悪のケースは、レーザ光源が極値の電気的なパラメータで生成することができる、保証された光電力を示す。ここで、書込み電力の予測が実行されないケースで、（Ｐopt_max−Ｐopt_typical）である余分の電力３０１が費やされ、光記憶ドライブ１８０は、（Ｐopt_max−Ｐopt_typical）のレンジにおける電力を必要とする所定のタイプの光記録媒体について使用されていない。図３に示される例示から明らかである。レーザ光源１８６から利用可能である余分の電力３０１が識別されることは明らかである。この余分な電力３０１は、この電力を必要とする光記録媒体を記録するために使用されるものであり、したがって浪費されない。さらに、この電力予測のため、光記憶ドライブ１８０の最大の利用可能な書込み電力は、係る予測が行われないケースよりも大きくなる。ここで、予測のため、利用可能な最大の電力は、Ｐopt_typicalよりはむしろＰopt_maxである。予測が行われないケースでは、光記憶ドライブ１８０はＰopt_typicalの電力を必要とする全ての光記録媒体で使用される。この予測方法なしに、幾つかの光記録媒体がＰopt_typicalよりも多くの電力を必要とする場合、この光記憶ドライブ１８０は使用されない場合がある。
【００３６】
この予測を実行した後、同じ光記憶ドライブ１８０がＰopt_typicalよりも大きなパワーレベルで光記録メディアの記録をサポートすることができることが知られているので、同じ光記憶ドライブ１８０は、Ｐopt_typicalよりも高い電力を必要とする係る光記録媒体を扱うために使用される。したがって、それらが余路多くの電力を必要としたため、先に扱うことができなかった光記録媒体は、予測を実行した後に同じ光記憶ドライブ１８０により扱うことができる。さらに、高いパワーレベルで係る光記録媒体の記録をサポートするために好ましいレーザパラメータを有する光記憶ドライブ１８０が識別される。
【００３７】
図４は、本発明に係る方法の第二の実施の形態を示し、この方法は、第二のパラメータとしてレーザ光のビーム１８８の所定の光パワーレベルＰを生成するために必要とされる第一のパラメータとしてレーザ光源１８６の電力を測定するステップを含む。この実施の形態の形態では、測定手段１０２（図１参照）は、第一のパラメータとしてレーザ光源１８６の電力を測定する。測定手段１０４（図１参照）は、レーザ光のビーム１８８の光パワーレベルＰを測定する。予測手段１０６（図１参照）は、レーザ光のビーム１８８のパワーレベルＰを生成するために必要とされるレーザ光源１８６の測定された電力を使用して光記憶ドライブ１８０の最大の利用可能な書込み電力を予測する。図４は、システム１００を使用してレーザ光のビーム１８８の所定の光パワーレベルＰopt_measuredで測定されるレーザ光源１８６の電力Ｐsor_measuredの関係を表す。レーザ光源１８６の電力Ｐsorは、軸４０８に沿ってポイントＰsor_minからポイントＰsor_maxに増加する。軸４１２は、Ｐopt_minからＰopt_maxに変動する、レーザ光のビーム１８８の光電力の出力の指示を与える。レーザ光のビーム１８８の所定の光電力Ｐopt_measuredを生成するために必要とされるレーザ光源１８６の電力Ｐsor_measuredが測定される。光電力Ｐopt_measuredは、光記憶ドライブ１８０の最初の始動の間に発生される任意の値とすることができる。システム１００の測定手段１０２を使用して電気的な値Ｐsor_measuredが測定される。光パワーレベルＰopt_measuredは、システム１００の測定手段１０４を使用して測定される。レーザ光源１８６は、レーザ光源１８６の最大の動作電力がレーザダイオードの製造業者により入手可能にされるレーザダイオード仕様のデータシートで利用可能な定格を有する。それぞれのレーザ光源について、このレーザ光源の動作電力は、最小の値Ｐsor_minから最大の値Ｐsor_maxに変動する。レーザ光源の仕様の大部分は、レーザ光源１８６がレーザ光のビーム１８８の規定された典型的な光電力Ｐsor_typicalを与える最小値Ｐsor_minと最大値Ｐsor_maxのレンジ内にある典型的な動作電力値Ｐsor_typicalを規定する。光記憶ドライブの大部分は、このＰsor_typicalを電力として使用する。このＰsor_typicalは、レーザ光源１８６の動作電流及び動作電流である２つのパラメータに依存する。動作電流及び動作電圧の値を変えることで、レーザ光源１８６の電力値Ｐsorを変えることが可能である。ここで、レーザ光のビーム１８８のＰopt_measuredの光電力が得られる電力Ｐsor_measuredを測定して、レーザ光源１８６が耐えることができ、レーザダイオード仕様のデータシートで利用可能なレーザ光源の最大の動作電力Ｐsor_maxを取ることで、光記憶ドライブ１８０の最大の利用可能な書込み電力が予測される。このシステム１００の予測手段１０６により実行される予測は、以下に例示される。
【００３８】
レーザ光のビーム１８８の測定された光電力Ｐopt_measuredについて、必要とされるレーザ光源１８６の電力は、Ｐsor_measuredであり、したがって、データシートからレーザ光源１８６について知られるレーザ光源１８６の利用可能な最大の電力値Ｐsor_maxについて、光記憶ドライブ１８０の最大の利用可能な書込み電力は、最大の利用可能な光書込み電力Ｐopt_max＝（Ｐopt_measured／Ｐsor_measured）×  Ｐsor_maxである。
【００３９】
したがって、レーザ光のビーム１８８の光電力値Ｐopt_measuredを生成するために必要とされるレーザ光源１８６の測定された電力Ｐsor_measuredから、光記憶ドライブ１８０の最大の利用可能な書込み電力Ｐopt_maxが予測される。
【００４０】
したがって、この実施の形態で考慮される光記憶ドライブ１８０から利用可能なレーザ光のビーム１８８の光電力は、Ｐopt_typicalであり、これは、光記憶ドライブ１８０が特定の記録速度で光記録ドライブに関して動作することができる電力である。この光電力Ｐopt_typicalは、レーザダイオード仕様のデータシートで規定されるレーザ光源１８６の典型的な電力に対応する、保証された最大電力である。しかし、この実施の形態から、これは最悪のケースではないので、必要とされる場合に、Ｐopt_typicalよりも多くの電力を生成することができることは明らかである。ここでの最悪のケースとは、レーザ光源が極値となる電気的なパラメータで生成することができる、保証された光電力を示す。ここで、書込み電力の予測が実行されないケースでは、（Ｐopt_max−Ｐopt_typical）である余分な電力４０１は、浪費されており、光記憶ドライブ１８０は、（Ｐopt_max−Ｐopt_typical）のレンジにおける電力を必要とする所定のタイプの光記録媒体について使用されない。レーザ光源１８６から利用可能な余分の電力４０１が識別されることは、図４に示される例示から明らかである。この余分の電力４０１は、より多くの電力を必要とする光記録媒体を記録するために利用することができ、したがって浪費されない。さらに、この電力予測のため、光記憶ドライブ１８０の最大の利用可能な書込み電力は、係る予測が行われないケースにおけるよりも大きくなる。ここで、予測のため、利用可能な最大電力は、Ｐopt_typicalよりはＰopt_maxである。予測が行われないケースでは、光記憶ドライブ１８０は、Ｐopt_typicalの電力を必要とした全ての光記録媒体で使用される。あり光記録媒体がこの予測方法なしにＰopt_typicalよりも多くの電力を必要とする場合、この光記憶ドライブ１８０は、使用されない。この予測を実行した後、同じ光記憶ドライブ１８０がＰopt_typicalよりも高い電力を必要とする光記録媒体の記録をサポートすることができることが知られているので、同じ光記憶ドライブ１８０は、Ｐopt_typicalよりも高い電力を必要とする係る光記録媒体を扱うために使用される。したがって、更に多くの電力を必要としたために先に扱われなかった光記録媒体は、予測を実行した後に同じ光記憶ドライブ１８０により扱うことができる。さらに、高いパワーレベルでの係る光記録媒体の記録をサポートするために好ましいレーザパラメータを有する光記憶ドライブ１８０が識別される。
【００４１】
図５は、本発明に係る方法の第三の実施の形態を示し、この方法は、第二のパラメータとしてレーザ光のビーム１８８の所定の光パワーレベルＰを生成する第一のパラメータとしてレーザ光源１８６の温度を測定するステップを含む。この実施の形態の形態では、測定手段１０２（図１参照）は、第一のパラメータとしてレーザ光源１８６の温度を測定する。測定手段１０４（図１参照）は、レーザ光のビーム１８８のパワーレベルＰを測定する。予測手段１０６（図１参照）は、レーザ光のビーム１８８の所定のパワーレベルＰで生じるレーザ光源１８６の測定された温度を使用して光記憶ドライブ１８０の最大の利用可能な書込み電力を予測する。図５は、システム１００を使用してレーザ光のビーム１８８の所定の光パワーレベルＰopt_measuredで測定されるレーザ光源１８６の温度の関係を表す。レーザ光源１８６の動作温度は、軸５０８に沿ってポイントＴminからポイントＴmaxに増加する。軸５１２は、Ｐopt_minからＰopt_maxに変動する、レーザ光のビーム１８８の光出力電力Ｐoptの指示を与える。レーザ光のビーム１８８の所定の光電力Ｐopt_measuredを生成するために必要とされるレーザ光源１８６の動作温度Ｔmeasuredが測定される。光電力Ｐopt_measuredは、光記憶ドライブ１８０の最初の始動の間に発生される任意の値とすることができる。レーザ光源１８６から利用可能な最大の書込み電力は、レーザの温度により制限される。これは、所与の光出力について、レーザ光源における熱の消失が変動する場合、最大の利用可能なレーザ光も変動することを意味する。特に、閾値電流のようなレーザ光源の電気特性について広がり、微分効率及びバイアス電圧は、最大の利用可能な電力を変動させる。同じことが、環境の温度にもあてはまる。温度Ｔmeasuredは、レーザ光のビーム１８８の光パワーレベルＰopt_measuredで生じるシステム１００の測定手段１０２を使用して測定される。光パワーレベルＰopt_measuredは、システム１００の測定手段１０４を使用して測定される。レーザ光源１８６は、レーザ光源１８６の最大の動作電力がレーザダイオードの製造業者により入手可能にされるレーザダイオード仕様のデータシートで利用可能な定格を有する。それぞれのレーザ光源について、このレーザ光源１８６の動作温度は、最小の値Ｔminから最大の値Ｔmaxに変動する。レーザ光源１８６の仕様の大部分は、レーザ光源１８６がレーザ光のビーム１８８の規定された出力である光電力Ｐsor_typicalを与える最小値と最大値のレンジ内にある典型的な動作温度値Ｔtypicalを規定する。光記憶ドライブの大部分は、このＰsor_typicalを電力として使用する。ここで、レーザ光のビーム１８８のＰopt_measuredの光電力が得られる温度Ｔmeasuredを測定して、レーザ光源１８６が耐えることができ、データシートで利用可能な最大の動作温度Ｔmaxを取ることで、最大の利用可能な書込み電力が予測される。このシステム１００の予測手段１０６により実行される予測は、以下に例示される。
【００４２】
レーザ光のビーム１８８の測定された光電力Ｐopt_measuredについて、必要とされるレーザ光源１８６の温度は、Ｔmeasuredであり、したがって、データシートからレーザ光源１８６について知られるレーザ光源１８６の利用可能な最大の温度値Ｔmaxについて、光記憶ドライブ１８０の最大の利用可能な書込み電力は、最大の利用可能な光書込み電力Ｐopt_max＝（Ｐopt_measured／Ｔmeasured）×  Ｔmaxである。
【００４３】
したがって、レーザ光のビーム１８８の光電力値Ｐopt_measuredを生成するために必要とされるレーザ光源１８６の測定された温度Ｔmeasuredから、光記憶ドライブ１８０の最大の利用可能な書込み電力Ｐopt_maxが予測される。
【００４４】
したがって、この実施の形態で考慮される光記憶ドライブ１８０から利用可能なレーザ光のビーム１８８の光電力は、Ｐopt_typicalであり、これは、光記憶ドライブ１８０が特定の記録速度で光記録ドライブに関して動作することができる電力である。この光電力Ｐopt_typicalは、レーザダイオード仕様のデータシートで規定されるレーザ光源１８６の典型的な動作温度Ｔtypicalに対応する、保証された最大電力である。しかし、この実施の形態から、これは最悪のケースではないので、必要とされる場合に、Ｐopt_typicalよりも多くの電力を生成することができることは明らかである。ここでの最悪のケースとは、レーザ光源が極値となる電気的なパラメータで生成することができる、保証された光電力を示す。ここで、書込み電力の予測が実行されないケースでは、（Ｐopt_max−Ｐopt_typical）である余分な電力５０１は、浪費されており、光記憶ドライブ１８０は、（Ｐopt_max−Ｐopt_typical）のレンジにおける電力を必要とする所定のタイプの光記録媒体について使用されない。レーザ光源１８６から利用可能な余分の電力４０１が識別されることは、図５に示される例示から明らかである。この余分の電力５０１は、より多くの電力を必要とする光記録媒体を記録するために利用することができ、したがって浪費されない。さらに、この電力予測のため、光記憶ドライブ１８０の最大の利用可能な書込み電力は、係る予測が行われないケースにおけるよりも大きくなる。ここで、予測のため、最大の利用可能な電力は、Ｐopt_typicalよりはＰopt_maxである。予測が行われないケースでは、光記憶ドライブ１８０は、Ｐopt_typicalの電力を必要とする全ての光記録媒体で使用される。あり光記録媒体がこの予測方法なしにＰopt_typicalよりも多くの電力を必要とする場合、この光記憶ドライブ１８０は、使用されない。この予測を実行した後、同じ光記憶ドライブ１８０がＰopt_typicalよりも大きなパワーレベルでの光記録媒体の記録をサポートすることができることが知られているので、同じ光記憶ドライブ１８０は、Ｐopt_typicalよりも高い電力を必要とする係る光記録媒体を扱うために使用される。したがって、更に多くの電力を必要としたために先に扱われなかった光記録媒体は、予測を実行した後に同じ光記憶ドライブ１８０により扱うことができる。さらに、高いパワーレベルでの係る光記録媒体の記録をサポートするために好ましいレーザパラメータを有する光記憶ドライブ１８０が識別される。
【００４５】
図６は、光記憶ドライブ１８０の最大の利用可能な書込み電力を予測するために使用される方法の第四の実施の形態及びシステムの第二の実施の形態を示す。図１におけるのと同じ機能又は構成を有するエレメントは、同じ参照符号により示されており、更に詳細に説明されない。システム１００は、レーザ光のビーム１８８を生成する前に、対物レンズ１９２を後退させるために構成される後退（retracting）手段１２０を有する。本発明で記載された全ての実施の形態では、最大の利用可能な書込み電力の予測は、システム１００の後退手段１２０を使用して対物レンズ１９２を後退させることで実行される。対物レンズ１９２を後退させること及びレーザ光のビーム１８８を生成することは、光記録媒体１８４に生じるダメージを防止する。
【００４６】
図７に示されるように本発明の方法の第五の実施の形態及びシステムの第三の実施の形態では、予測された最大の利用可能な書込み電力は、記憶手段７０２に記憶される。予測される最大の利用可能な書込み電力を記憶するために使用される記憶手段は、ＥＥＰＲＯＭ（Electrically  Erasable  Programmable  Read  Only  Memory）７０２である。レーザパワーコントローラ１７２は、予測された最大の利用可能な書込み電力にまで光記憶ドライブ１８０を動作するために、この記憶された最大の書込み電力値を利用する。さらに、ＥＥＰＲＯＭは不揮発性メモリであるので、予測された最大の利用可能な書込み電力は、電力がスイッチオフにされるときでさえ保持することができ、したがってその後の動作のために使用することができる。
【００４７】
図８に示されるように本発明の方法の第六の実施の形態及びシステムの第四の実施の形態では、予測された最大の利用可能な書込み電力は、記憶手段８０２で記憶される。予測された最大の利用可能な書込み電力を記憶するために使用される記憶手段８０２は、フラッシュメモリである。レーザパワーコントローラ１７２は、予測された最大の利用可能な書込み電力にまで光記憶ドライブ１８０を動作するために、この記憶された最大の書込み電力値を利用する。フラッシュメモリは、読取り及び書き込み時間が殆ど瞬間的であるという利点を有する。フラッシュメモリは、従来のメモリよりも雑音が小さく、小型である。フラッシュメモリは、非常に高速なアクセス時間をもつ非常に携帯性が高い。フラッシュメモリは、全体のブロックでのそのデータを削除することができ、大量のデータの頻繁な更新のために好ましくする。
【００４８】
図９に示される本発明の方法の第七の実施の形態及びシステムの第五の実施の形態では、予測された最大の利用可能な書き込み電力は、記憶手段９０２に記憶される。予測された最大の利用可能な書込み電力を記憶するために使用される記憶手段９０２は、バーコードスティッカーである。レーザパワーコントローラ１７２は、予測された最大の利用可能な書込み電力にまで光記憶ドライブを動作するために、この記憶された最大の書込み電力を利用する。バーコードスティッカーの利点は、光ピックアップユニット（ＯＰＵ）のコストが低減されるように、ＥＥＰＲＯＭが必要とされないことである。
【００４９】
予測された最大の利用可能な書込み電力を記憶するために記憶手段７０２，８０２及び９０２は、光記憶ドライブの最大の利用可能な書込み電力を予測するためにシステム１００内に配置される。代替的に、これら記憶手段７０２，８０２及び９０２は、光記憶ドライブ１８０自身内に配置される。
【００５０】
本発明の更なる目的では、本実施の形態で記載された最大の利用可能な書込み電力を予測する方法は、光記憶ドライブの始動の間で使用される。光記憶ドライブ１８０の最初の始動の間、システム１００の測定手段１０２及び１０４を使用して実施の形態で例示されたように、レーザ光のビーム１８８の所定の光パワーレベルＰopt_measuredを生成するために必要とさえる第一のパラメータ及び第二のパラメータが測定される。行われた測定から、図３、図４及び図５で例示されたようにシステム１００の予測手段１０６を使用して、最大の利用可能な書込み電力が予測される。予測された最大の利用可能な書込み電力値は、記憶手段に記憶される。レーザ光パワーコントローラ１７２は、予測された最大の利用可能な書込み電力にまで、光記憶ドライブ１８０を動作するために、この記憶された最大の利用可能な書込み電力値を利用する。この実施の形態は、最大の利用可能な書込み電力を予測しつつ、レーザ光源１８６の寿命及びレーザドライブ温度の影響が考慮されるという利点を有する。さらに、レーザの電気特性は、時間につれて変化又は劣化する場合がある。この実施の形態は、予測の間に係るファクタを考慮する。
【００５１】
本発明の目的は、光記憶ドライブの製造の間に実施の形態で記載される最大の利用可能な書込み電力を予測する方法を使用することで更に達成される。光記憶ドライブ１８０の製造の間、システム１００は、レーザ光のビーム１８８の所定の光パワーレベルＰopt_measuredを生成するために必要とされる第一のパラメータ及び第二のパラメータを測定するために使用される。第一のパラメータ及び第二のパラメータは、システム１００の測定手段１０２及び１０４のそれぞれを使用して測定される。測定から、最大の利用可能な書込み電力は、実施の形態で記載されるようにシステム１００の予測手段１０６を使用して予測される。この予測された最大の利用可能な書込み電力は、光記憶ドライブ１８０内の記憶手段で記憶される。レーザ光源のパワーコントローラ１７２は、予測された最大の利用可能な書込み電力にまで、光記憶ドライブを動作するために、この記憶された最大の利用可能な書込み電力値を利用する。この実施の形態は、光記憶ドライブ１８０の最大の利用可能な書込み電力を予測するためのシステム１００が光記憶ドライブ１８０の一部である必要がないという利点を有する。製造される光記憶ドライブの最大の利用可能な書込み電力を予測するために使用される個別のユニットとすることができ、同じシステム１００は、多数の光記憶ドライブでのその後の予測のために使用することができる。
【００５２】
実施の形態及び例示から、本発明により、多くの光記憶ドライブ／光記録媒体のペアは最も高い記録速度で動作することが可能であることが明らかである。このことは、図１０に例示される。図１０では、上のラインは、市場で全ての光記録媒体により必要とされるパワーのレンジ９０２を表す。下のラインは、特定のタイプの光記憶ドライブから利用可能な書込み電力のレンジ９０４を表す。これら光記憶ドライブは、幾つかのパラメータに基づいて最小から最大に変化する書込み電力を有するレーザ光源を有する。最大の利用可能な書込み電力は、最悪のケースのパラメータで利用可能な最大の書込み電力である。本発明で特許請求される最大の利用可能な書込み電力の予測なしに、全ての光記録媒体のフラクションＡのみが光記憶ドライブにより扱われる。これは、最悪のケースの最大電力のみが知られており、したがって利用可能であるためである。光記憶ドライブの最大の利用可能な書込み電力を予測する特許請求される方法を使用して、光記憶ドライブのサブセットにより、非常に大きなフラクションＢを扱うことができる。これは、光記憶ドライブ／光記録媒体のペアにおける実際の増加が特許請求される方法についてあるべき電力の２つのラインへの分散に依存する。
【００５３】
光記憶ドライブ１８０の最大の利用可能な書込み電力を予測するための方法の記載される実施の形態における順序は、強制的なものではなく、当業者であれば、本発明により意図される概念から逸脱することなしにステップの順序を変える場合がある。上述された実施の形態は本発明を限定するよりは例示するものであり、当業者であれば、特許請求の範囲から逸脱することなしに多くの代替的な実施の形態を設計することができる。請求項では、括弧間に配置される参照符号は、請求項を限定するものとして解釈されるべきではない。本発明は、幾つかの個別のエレメントを含むハードウェアにより、適切にプログラムされたコンピュータにより実現することができる。幾つかの手段を列挙するシステムでは、これら手段のうちの幾つかは、同一アイテムのコンピュータ読取り可能なソフトウェア又はハードウェアにより実施することができる。図面は、これに応じて、限定的な意味で使用されるよりは、例示的な目的について考えられる。
【図面の簡単な説明】
【００５４】
【図１】本発明に係る光記憶ドライブの最大の利用可能な書込み電力を予測するシステムの第一の実施の形態を示す図である。
【図２】本発明に係る最大の利用可能な書込み電力を予測する方法を説明する簡略化されたフローチャートである。
【図３】本発明に係る方法の第一の実施の形態を示す図であり、この方法は、第二のパラメータとしてレーザ光のビームの所定の光パワーレベルを生成するために必要とされる第一のパラメータとしてレーザ光源のレーザ電流を測定するステップを含む。
【図４】本発明に係る方法の第二の実施の形態を示す図であり、この方法は、第二のパラメータとしてレーザ光のビームの所定の光パワーレベルを生成するために必要とされる第一のパラメータとしてレーザ光源の電力を測定するステップを含む。
【図５】本発明に係る方法の第三の実施の形態を示す図であり、この方法は、第二のパラメータとしてレーザ光のビームの所定の光パワーレベルを生じる第一のパラメータとしてレーザ光源の温度を測定するステップを含む。
【図６】本発明に係る方法の第四の実施の形態、本発明に係るシステムの第二の実施の形態を示す図であり、この方法は、レーザ光のビームを生成する前に対物レンズを後退させるステップを含む。
【図７】本発明に係る方法の第五の実施の形態、本発明に係るシステムの第三の実施の形態を示す図であり、この方法は、ＥＥＰＲＯＭ（Electrically  Erasable  Programmable  Read  Only  Memory）に予測された最大の利用可能な書込み電力を記憶するステップを含む。
【図８】本発明に係る方法の第六の実施の形態、本発明に係るシステムの第四の実施の形態を示す図であり、この方法は、フラッシュメモリに予測された最大の利用可能な書込み電力を記憶するステップを含む。
【図９】本発明に係る方法の第七の実施の形態、本発明に係るシステムの第五の実施の形態を示す図であり、この方法は、バーコードスティッカーに予測された最大の利用可能な書込み電力を記憶するステップを含む。
【図１０】本発明が、光記憶ドライブ／光記録媒体のペアが最も高い記録速度で動作するのをどのように可能にするかを例示する図である。
【図１】
2008545224.tif 000002
【図２】
2008545224.tif 000003
【図３】
2008545224.tif 000004
【図４】
2008545224.tif 000005
【図５】
2008545224.tif 000006
【図６】
2008545224.tif 000007
【図７】
2008545224.tif 000008
【図８】
2008545224.tif 000009
【図９】
2008545224.tif 000010
【図１０】
2008545224.tif 000011
【国際調査報告】
2008545224.tif 000012
2008545224.tif 000013